(57)【要約】【課題】液体の噴射に伴うカテーテルの移動を抑制することができるカテーテルを提供する。【解決手段】カテーテル１００は、液体が流通可能なルーメン１１１と、ルーメンの先端に形成され、液体を噴射する噴射口１１２と、を有する管腔体１１０と、管腔体の先端部１１０ｄに配置され、噴射口からの液体の噴射に伴って生じる反力を受けて収縮可能な変形部１２０と、を有する。【選択図】図１
2019005057.tif 000002
【特許請求の範囲】
【請求項１】
液体が流通可能なルーメンと、前記ルーメンの先端に形成され、前記液体を噴射する噴射口と、を有する管腔体と、
前記管腔体の先端部に配置され、前記噴射口からの前記液体の噴射に伴って生じる反力を受けて収縮可能な変形部と、を有するカテーテル。
【請求項２】
前記変形部は、伸縮可能な弾性材料から形成される、請求項１に記載のカテーテル。
【請求項３】
前記変形部は、先端に平坦な面を有する、請求項１または請求項２に記載のカテーテル。
【請求項４】
前記管腔体は、前記噴射口へ向かって前記ルーメンの内径が大きくなる拡径部を有する、請求項１〜３のいずれか１項に記載のカテーテル。
【請求項５】
前記管腔体は、前記管腔体の先端部に前記変形部を収容する収容部をさらに有する、請求項１〜４のいずれか１項に記載のカテーテル。
【発明の詳細な説明】
【技術分野】
【０００１】
本発明は、カテーテルに関する。
【背景技術】
【０００２】
カテーテルは、生体管腔の治療や検査において、薬剤、塞栓剤、造影剤等の液体を病変部やその付近の目的部位に噴射するために用いられる医療器具である（例えば、特許文献１を参照）。
【先行技術文献】
【特許文献】
【０００３】
【特許文献１】特開２００６−１８１２５８号公報
【発明の概要】
【発明が解決しようとする課題】
【０００４】
しかしながら、カテーテルの先端から目的部位に液体を噴射する際、液体の噴射圧によってカテーテルに作用する反力のために、カテーテルが後退したり、カテーテルの先端部が振れたりする場合がある。このようなカテーテル先端部の意図しない移動は、カテーテルを目的部位に再配置する必要を生じたり、目的部位への液体の正確な噴射を困難にしたりすることがある。その結果、術者の手技の効率が低下してしまう。
【０００５】
本発明は、上述した課題を解決するためになされたものであり、液体の噴射に伴うカテーテルの移動を抑制することができるカテーテルを提供することを目的とする。
【課題を解決するための手段】
【０００６】
上記目的を達成する本発明に係るカテーテルは、液体が流通可能なルーメンと、前記ルーメンの先端に形成され、前記液体を噴射する噴射口と、を有する管腔体と、前記管腔体の先端部に配置され、前記噴射口からの前記液体の噴射に伴って生じる反力を受けて収縮可能な変形部と、を有する。
【発明の効果】
【０００７】
上記のように構成したカテーテルによれば、変形部は、管腔体の噴射口からの液体の噴射に伴って生じる反力を受けて収縮することによって、反力を吸収することができる。変形部が反力を吸収することによって、管腔体に作用する反力を軽減することができる。これにより、液体の噴射に伴って管腔体の先端部が移動することを抑制して、液体を目的部位に正確に噴射することができる。
【図面の簡単な説明】
【０００８】
【図１】本発明の実施形態に係るカテーテルを示す一部断面図である。
【図２】自然状態におけるカテーテルの先端部を拡大して示す軸方向断面図である。
【図３】変形部が収縮した状態のカテーテルの先端部を拡大して示す軸方向断面図である。
【図４】湾曲した状態のカテーテルの先端部を拡大して示す軸方向断面図である。
【図５】図５（Ａ）は、生体管腔の病変部にカテーテルを配置して液体を噴射する様子を示す図であり、図５（Ｂ）は、液体の噴射に伴って生じる反力を受けて変形部が収縮した状態を示す図である。
【図６】図６（Ａ）は、先端部が湾曲した状態のカテーテルを生体管腔の病変部に配置して液体を噴射する様子を示す図であり、図６（Ｂ）は、液体の噴射に伴って生じる反力を受けて変形部が収縮した状態を示す図である。
【発明を実施するための形態】
【０００９】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１０】
本実施形態に係るカテーテル１００は、生体管腔の病変部等の目的部位に対して薬剤、塞栓剤、造影剤等の液体を噴射して病変部の治療や検査を行うために用いられるマイクロカテーテルである。
【００１１】
図１に示すように、カテーテル１００は、液体が流通可能なルーメン１１１と、ルーメン１１１の先端に形成され、液体を噴射する噴射口１１２と、を有する管腔体１１０と、管腔体１１０の先端部１１０ｄに配置され、噴射口１１２からの液体の噴射に伴って生じる反力を受けて収縮可能な変形部１２０と、管腔体１１０の基端部に連結されるカテーテルハブ１３０とを有している。
【００１２】
カテーテルハブ１３０を介して注入された薬剤、塞栓剤、造影剤等の液体は、ルーメン１１１を通って、噴射口１１２から所定の噴射圧で噴射される。噴射口１１２から生体管腔内に液体を噴射すると、管腔体１１０の先端部１１０ｄには、噴射した液体の噴射圧や、噴射した液体の噴射口１１２周辺の体液への衝突によって、管腔体１１０の先端側から基端側に向けて作用する力（反力）が生じる。
【００１３】
変形部１２０は、管腔体１１０の噴射口１１２からの液体の噴射に伴って生じる反力を受けて収縮することによって、反力を吸収する機能を有する（図５（Ｂ）、図６（Ｂ）を参照）。これにより、液体の噴射に伴って管腔体１１０の先端部１１０ｄが移動することを抑制して、液体を目的部位に正確に噴射することができる。
【００１４】
以下、カテーテル１００の各部の構成について詳述する。
【００１５】
なお、本明細書の説明では、カテーテル１００の管腔体１１０が略直線状に延在する長手方向（図１中の左右方向）を軸方向と定義し、各図において矢印Ｘで示す。また、カテーテル１００において生体内（血管内）に挿入される側を先端側（遠位側、図１中の左側）と定義し、各図において矢印Ｘ１で示し、先端側と反対側に位置する手元での操作がなされる側を基端側（近位側、図１中の右側）と定義し、各図において矢印Ｘ２で示す。
【００１６】
（管腔体）
図２に示すように、管腔体１１０は、管腔体１１０の先端部１１０ｄに変形部１２０を収容する収容部１１３と、噴射口１１２へ向かってルーメン１１１の内径が大きくなる拡径部１１４と、をさらに有している。
【００１７】
本実施形態では、管腔体１１０は、図２に示すように、ルーメン１１１を形成する内層１１５と、内層１１５の外周面側に配置された外層１１６と、を含む２層構造を有している。外層１１６の先端部１１６ａは、基端部に比べて厚みが薄くなるように形成されている。
【００１８】
収容部１１３は、内層１１５の先端部１１５ａの外周面１１５ｓと、外層１１６の先端部１１６ａの内周面１１６ｓとの間に区画された空間により構成されている。収容部１１３に変形部１２０を収容することによって、変形部１２０がカテーテル１００の外表面に露出しない。これにより、カテーテル１００を生体管腔へ挿入する際に、変形部１２０が生体管腔の管壁に引っかかったり、変形部１２０が不用意に変形したりすることがない。その結果、カテーテル１００の操作性を向上することができる。
【００１９】
拡径部１１４は、内層１１５の先端部１１５ａの厚みが先端へ向かって漸減する部分により構成されている。図２中の矢印で示すように、噴射口１１２から噴射した液体は、拡径部１１４の形状に沿って広がるようにカテーテル１００の先端側へ流れる。このため、カテーテル１００は、液体を広範囲に噴射することができる。また、液体の噴射に伴って生じる反力が噴射口１１２の周囲に広がりやすくなるため、変形部１２０が反力を受けやすくなる。
【００２０】
内層１１５の構成材料としては、例えば、ＰＴＦＥ（ポリテトラフルオロエチレン）、ＰＦＡ（テトラフルオロエチレン−パーフルオロアルキルビニルエーテル共重合体）、ＦＥＰ（テトラフルオロエチレン−ヘキサフルオロプロピレン共重合体）、ＥＴＦＥ（エチレン−テトラフルオロエチレン共重合体）等の含フッ素エチレン性重合体やナイロン等のポリアミド、ナイロンエラストマー等のポリアミドエラストマー等の樹脂材料が挙げられる。
【００２１】
外層１１６の構成材料としては、例えば、ポリアミドエラストマー、ポリエステルエラストマー、ポリウレタンエラストマー、ポリスチレンエラストマー、シリコーンゴム、ラテックスゴム等の各種エラストマー、またはこれらのうちの２種以上を組み合わせたものを挙げることができる。外層１１６は、異なる樹脂材料を積層して構成された多層構造を有していてもよい。また、外層１１６の外周面に親水性高分子からなる材料を被覆して親水性コート層などを形成することも可能である。
【００２２】
管腔体１１０の軸方向に沿う長さは、適用する血管の位置、太さ等の症例によってもその好ましい値は異なるが、例えば、７００ｍｍ〜２０００ｍｍ程度に設定される。
【００２３】
なお、管腔体１１０は、先端に柔軟性を付加するための先端チップを設けてもよいし、線材を編組して形成された補強体を設けてもよい。
【００２４】
（変形部）
変形部１２０は、図２、図３に示すように、山部１２１と谷部１２２とを有する蛇腹構造のチューブによって、伸縮可能に構成されている。蛇腹構造は変形しやすく柔軟性が高いため、変形部１２０を蛇腹構造にすることによってカテーテル１００の先端部の柔軟性を向上することができる。
【００２５】
変形部１２０は、外力を受けていない自然状態では、図２に示すように、隣り合う山部１２１同士や谷部１２２同士が互いに離間するように形状付けられている。
【００２６】
変形部１２０の基端１２０ｐは、管腔体１１０の内層１１５の先端部１１５ａの外周面１１５ｓに固定された固定端である。変形部１２０の先端１２０ｄは、固定されずに収容部１１３内を移動自在な自由端である。これにより、変形部１２０は、変形部１２０の先端１２０ｄが基端１２０ｐに対して接近離間することによって、伸縮可能に構成されている。
【００２７】
変形部１２０は、弾性材料から形成されている。これにより、変形部１２０は、図３に示すように、収縮した状態において、元の伸長した状態に戻ろうとする復元力を有する。この復元力により、変形部１２０は、外力を受けていない自然状態で、図２に示すように伸長して、液体の噴射に伴って生じる反力を受けると、図３に示すように、収縮して反力を吸収することができる。
【００２８】
変形部１２０を形成する弾性材料は、収縮した状態で、伸長する方向に復元力を有する材料であれば特に限定されないが、例えば、金属や樹脂を用いることができる。
【００２９】
変形部１２０を形成する弾性材料に使用される金属は、例えば、ステンレス鋼、超弾性合金、形状記憶合金、コバルト系合金、金、白金、タングステン等が挙げられる。
【００３０】
変形部１２０を形成する弾性材料に使用される樹脂は、例えば、ウレタンゴム、シリコーンゴム、フッ素ゴム等の熱硬化性エラストマー、スチレン系、オレフィン系、塩化ビニル系、ウレタン系、エステル系、アミド系の熱可塑性エラストマー等が挙げられる。
【００３１】
変形部１２０は、先端１２０ｄに平坦な面１２０ｓを有している。このため、管腔体１１０の噴射口１１２からの液体の噴射に伴って生じる反力を平坦な面１２０ｓで受けやすい。これにより、変形部１２０は、効果的に反力を吸収して、管腔体１１０に作用する反力を軽減することができる。
【００３２】
変形部１２０の平坦な面１２０ｓは、図２に示すように、変形部１２０の蛇腹構造のチューブの先端にリング（穴の開いた円盤）状部材１２３を取り付けることによって構成することができる。リング状部材１２３は、例えば、各種の金属や樹脂によって形成することができる。また、リング状部材１２３は、例えば、接着剤、半田等の固定材料を介して蛇腹構造のチューブの先端に取り付けることができる。
【００３３】
リング状部材１２３の幅Ｗ１は、変形部１２０の先端１２０ｄが収容部１１３内を移動することが可能で、かつ、管腔体１１０の噴射口１１２からの液体の噴射に伴って生じる反力を受けることができる大きさであれば、特に限定されない。リング状部材１２３の幅Ｗ１は、図２を参照して、例えば、収容部１１３内の幅（内層１１５の先端部１１５ａの外周面１１５ｓと、外層１１６の先端部１１６ａの内周面１１６ｓとの間の距離）Ｄ１よりも小さく、変形部１２０が収容部１１３内を摺動可能な限りにおいて大きな値に設定することが好ましい。これにより、変形部１２０の平坦な面１２０ｓは、管腔体１１０の噴射口１１２からの液体の噴射に伴って生じる反力を効果的に受けることができる。
【００３４】
図２に示すように、変形部１２０が伸長した状態において、変形部１２０の先端は、管腔体１１０の噴射口１１２の先端と軸方向の同じ位置に配置されている。これにより、変形部１２０は、管腔体１１０の噴射口１１２からの液体の噴射に伴う反力を受けやすくなる。
【００３５】
変形部１２０が軸方向に伸長した状態において、変形部１２０の軸方向に沿う長さＬ１は、例えば、１０〜１００ｍｍ程度とすることができる。
【００３６】
図３に示すように、変形部１２０は、管腔体１１０の噴射口１１２からの液体の噴射に伴って生じる軸方向の反力を受けると、隣り合う山部１２１同士や谷部１２２同士が互いに接近するように変形して、管腔体１１０の軸方向に収縮する。これにより、変形部１２０は、反力を吸収して、管腔体１１０に作用する反力を軽減する。その結果、変形部１２０は、管腔体１１０が軸方向に移動（後退）することを抑制することができる。
【００３７】
図４に示すように、管腔体１１０の先端部１１０ｄが湾曲するように変形すると、変形部１２０は、管腔体１１０の先端部１１０ｄの形状に追従して湾曲するように変形する。変形部１２０は、湾曲した状態で、管腔体１１０および変形部１２０の湾曲の外側１４０Ａが伸長し、管腔体１１０および変形部１２０の湾曲の内側１４０Ｂが収縮する。変形部１２０の湾曲の外側１４０Ａの伸長した部分は、湾曲の内側１４０Ｂの収縮した部分よりも収縮しやすい。
【００３８】
管腔体１１０の先端部１１０ｄが湾曲した状態、すなわち変形部１２０が湾曲した状態で、管腔体１１０の噴射口１１２から液体を噴射すると、変形部１２０は、管腔体１１０の噴射口１１２からの液体の噴射に伴って生じる軸方向に交差する方向の反力を受ける。換言すれば、変形部１２０は、管腔体１１０の先端部１１０ｄが振れる（揺動する）方向に反力を受ける（図６（Ａ）を参照）。変形部１２０は、管腔体１１０の噴射口１１２から液体の噴射に伴って生じる反力を受けて、収縮し、反力を吸収する。このとき、変形部１２０は、管腔体１１０の先端部１１０ｄが振れる方向に受けた反力を、変形部１２０が変形しやすい方向（軸方向）に変換し、管腔体１１０の先端部１１０ｄが振れることを抑制する。また、変形部１２０は、湾曲の外側１４０Ａの伸長した部分が、湾曲の内側１４０Ｂの収縮した部分よりも収縮しやすい。このため、変形部１２０は、湾曲の内側１４０Ｂと比較して、反力の影響をより大きく受ける湾曲の外側１４０Ａにおいて、反力をより吸収することができる。その結果、変形部１２０は、管腔体１１０の先端部１１０ｄが湾曲した状態であっても、管腔体１１０の先端部１１０ｄが振れる（揺動する）ことを抑制できる。
【００３９】
（カテーテルハブ）
カテーテルハブ１３０は、接着剤や固定具（図示せず）などによって、管腔体１１０の基端部に液密に取り付けられている。カテーテルハブ１３０は、図１に示すように、内腔を有する本体部１３１と、本体部１３１の側部に突出して形成された一対の取っ手部１３２とを有している。カテーテルハブ１３０は、管腔体１１０のルーメン１１１へのガイドワイヤの挿入口および造影剤、薬液、塞栓物質等の液体の注入口として機能する。また、カテーテルハブ１３０は、カテーテル１００を操作する際の把持部としても機能する。
【００４０】
カテーテルハブ１３０の構成材料は、例えば、ポリカーボネート、ポリオレフィン、スチレン系樹脂、ポリアミド、ポリエステルなどの合成樹脂、ステンレス鋼、アルミニウム、アルミニウム合金である。ポリオレフィンは、例えば、ポリエチレン、ポリプロピレン、エチレン−プロピレンコポリマーである。
【００４１】
カテーテルハブ１３０は、管腔体１１０のルーメン１１１から分岐するように構成されたＹ字状のＹコネクターを有していてもよい。
【００４２】
図５、図６を参照して、実施形態に係るカテーテル１００の作用効果について説明する。
【００４３】
本実施形態に係るカテーテル１００は、生体管腔の病変部に対して薬剤、塞栓剤、造影剤等の液体を噴射して病変部の治療や検査を行うために使用される。以下の説明では、病変部として患者の血管Ｖに血栓等が溜まることで狭窄した病変部Ｎに薬剤を送達する治療について述べるものとする。
【００４４】
術者は、例えば、患者の血管Ｖに存在する病変部Ｎの近傍までガイドワイヤ（図示せず）を挿入する。その後、術者は、ガイドワイヤに沿わせてカテーテル１００を病変部Ｎの近傍まで押し進めて、図５（Ａ）に示すように、カテーテル１００を病変部Ｎに配置する。
【００４５】
次に、術者は、カテーテルハブ１３０（図１を参照）と管腔体１１０のルーメン１１１を通じて、噴射口１１２から先端側の病変部Ｎに向かって、薬剤、塞栓剤、造影剤等の液体を所定の噴射圧で噴射する。
【００４６】
変形部１２０は、図５（Ｂ）に示すように、液体の噴射に伴って生じる軸方向の反力を受けると、管腔体１１０の軸方向に収縮して、管腔体１１０に作用する反力を吸収する。これにより、変形部１２０は、管腔体１１０に作用する反力を軽減して、管腔体１１０が軸方向へ移動（後退）することを抑制することができる。
【００４７】
また、術者は、血管Ｖの本管Ｖ１から分岐した分岐管Ｖ２に形成された病変部Ｎの治療を行う際に、図６（Ａ）に示すようにカテーテル１００を本管Ｖ１から分岐管Ｖ２に挿入して病変部Ｎ近傍まで押し進める。このとき、管腔体１１０の先端部１１０ｄは、湾曲するように変形する。カテーテル１００は、管腔体１１０の先端部１１０ｄが湾曲することにより、噴射口１１２を病変部Ｎに向けることができる。また、変形部１２０は、管腔体１１０の先端部１１０ｄの形状に追従して湾曲するように変形する。変形部１２０は、湾曲した状態で、湾曲の外側１４０Ａが伸長し、湾曲の内側１４０Ｂが収縮する。変形部１２０の湾曲の外側１４０Ａの伸長した部分は、湾曲の内側１４０Ｂの収縮した部分よりも収縮しやすい。
【００４８】
管腔体１１０の先端部１１０ｄが湾曲した状態、すなわち変形部１２０が湾曲した状態で、カテーテル１００の噴射口１１２からカテーテル１００の先端側に向かって液体を噴射すると、変形部１２０は、管腔体１１０の噴射口１１２からの液体の噴射に伴って生じる軸方向に交差する方向の反力を受ける。換言すれば、変形部１２０は、管腔体１１０の先端部１１０ｄが振れる（揺動する）方向に反力を受ける（図６（Ａ）を参照）。変形部１２０は、管腔体１１０の噴射口１１２から液体の噴射に伴って生じる反力を受けて、収縮し、反力を吸収する。このとき、変形部１２０は、管腔体１１０の先端部１１０ｄが振れる方向に受けた反力を、変形部１２０が変形しやすい方向（軸方向）に変換し、管腔体１１０の先端部１１０ｄが振れる（揺動する）ことを抑制する。
【００４９】
また、変形部１２０は、湾曲の外側１４０Ａの伸長した部分が、湾曲の内側１４０Ｂの収縮した部分よりも収縮しやすい。このため、変形部１２０は、湾曲の内側１４０Ｂと比較して、反力の影響をより大きく受ける湾曲の外側１４０Ａにおいて、反力をより吸収することができる。その結果、変形部１２０は、管腔体１１０の先端部１１０ｄが湾曲した状態であっても、管腔体１１０の先端部１１０ｄが振れる（揺動する）ことを抑制できる。管腔体１１０の先端部１１０ｄは、振れることが抑制されることによって、湾曲した状態を維持することができる。これにより、カテーテル１００は、噴射口１１２を病変部Ｎに向けた状態を維持することができるため、液体を病変部Ｎに正確に噴射することができる。
【００５０】
仮に、カテーテルが変形部１２０を有さない場合、カテーテルは、軸方向に反力を受けると、基端側へ後退する。これにより、カテーテルは、病変部Ｎから離れる方向に移動してしまうため、カテーテルを病変部Ｎの近傍に再配置する必要性が生じてしまう。
【００５１】
これに対して本実施形態では、カテーテル１００に対し、管腔体１１０の軸方向に反力が作用した場合に、変形部１２０が軸方向に収縮することによって、反力を吸収することができる。これにより、管腔体１１０の先端部１１０ｄが軸方向の基端側へ移動することを抑制する。
【００５２】
また、仮に、カテーテルが、カテーテルの先端部が湾曲した状態で、軸方向に交差する方向に力を受けると、カテーテルの先端部が振れる。これにより、カテーテルの先端部が意図しない動きをするため、液体を病変部Ｎに正確に噴射できなくなってしまう。
【００５３】
これに対して本実施形態では、カテーテル１００に対し、管腔体１１０の軸方向に交差する方向に反力が作用した場合に、変形部１２０は、収縮し、反力を吸収する。このとき、変形部１２０は、管腔体１１０の先端部１１０ｄが振れる方向に受けた反力を、変形部１２０が変形しやすい方向（軸方向）に変換し、管腔体１１０の先端部１１０ｄが振れる（揺動する）ことを抑制する。
【００５４】
以上のように本実施形態に係るカテーテル１００は、液体が流通可能なルーメン１１１と、ルーメン１１１の先端に形成され、液体を噴射する噴射口１１２と、を有する管腔体１１０と、管腔体１１０の先端部１１０ｄに配置され、噴射口１１２からの液体の噴射に伴って生じる反力を受けて収縮可能な変形部１２０と、を有する。
【００５５】
上記カテーテル１００によれば、変形部１２０は、管腔体１１０の噴射口１１２からの液体の噴射に伴って生じる反力を受けて、収縮することによって、反力を吸収することができる。変形部１２０が反力を吸収することによって、管腔体１１０に作用する反力を軽減することができる。これにより、液体の噴射に伴って管腔体１１０の先端部１１０ｄが移動することを抑制して、液体を目的部位に正確に噴射することができる。
【００５６】
また、変形部１２０は、伸縮可能な弾性材料から形成される。このため、変形部１２０は、外力を受けていない自然状態において、伸長した状態となり、液体の噴射に伴って生じる反力を受けると、収縮することによって反力を吸収することができる。
【００５７】
また、変形部１２０は、先端に平坦な面１２０ｓを有するため、液体の噴射に伴って生じる反力を効果的に吸収して、管腔体１１０に作用する反力を軽減することができる。これにより、液体の噴射に伴って管腔体１１０の先端部１１０ｄが移動することを抑制して、液体を目的部位に正確に噴射することができる。
【００５８】
また、管腔体１１０は、噴射口１１２へ向かってルーメン１１１の内径が大きくなる拡径部１１４を有するため、液体をより広範囲に噴射することができる。また、液体の噴射に伴って生じる反力が噴射口１１２の周囲に広がりやすくなるため、変形部１２０が反力を受けやすくなる。
【００５９】
また、管腔体１１０は、管腔体１１０の先端部１１０ｄに変形部１２０を収容する収容部１１３をさらに有するため、変形部１２０がカテーテル１００の外表面に露出しない。これにより、カテーテル１００を生体管腔へ挿入する際に、変形部１２０が生体管腔の管壁に引っかかったり、変形部１２０が不用意に変形したりすることがない。その結果、カテーテル１００の操作性を向上することができる。
【００６０】
以上、実施形態を通じて本発明に係るカテーテルを説明したが、本発明は明細書内で説明した各構成のみに限定されるものでなく、特許請求の範囲の記載に基づいて適宜変更することが可能である。
【００６１】
例えば、管腔体は、内管と外管とを有する２つの部材によって構成されていてもよい。この場合、管腔体は、図２を参照して、前述した実施形態に係るカテーテル１００の内層１１５が内管として、外層１１６が外管として構成される。
【００６２】
また、管腔体は、収容部を有する構成に限定されず、例えば、管腔体の外周を覆うように変形部を設けてもよい。この場合、別のカテーテルの内腔に管腔体を挿通して使用することができる。
【００６３】
また、管腔体は、拡径部を有していなくてもよい。
【００６４】
また、変形部は、管腔体の噴射口からの液体の噴射に伴って生じる反力を受けて収縮可能な限りにおいて、その構成は前述した実施形態に特に限定されない。例えば、変形部は、線材を巻回したコイルによって構成されていてもよい。この場合、変形部の平坦な面は、前述した実施形態のように、コイルの先端にリング状部材を取り付けることによって構成してもよいし、コイルの巻回を形成する線材を管腔体の軸方向に直交する方向に切断して露出された面によって構成してもよい。変形部の平坦な面をコイルの巻回を形成する線材を切断して形成する場合は、変形部の平坦な面は、コイルの巻回を形成する線材の直径を含む部分（最も太い部分）を、管腔体の軸方向に直交する方向に切断して形成することが好ましい。これにより、変形部の平坦な面は、コイルの巻回を形成する線材を切断して形成される面のうち、面積が最大となる面によって構成されるため、管腔体の噴射口からの液体の噴射に伴って生じる反力を効果的に受けることができる。
【符号の説明】
【００６５】
１００      カテーテル、
１１０      管腔体、
１１０ｄ    管腔体の先端部、
１１１      ルーメン、
１１２      噴射口、
１１３      収容部、
１１４      拡径部、
１１５      内層、
１１６      外層、
１２０      変形部、
１２０ｓ    平坦な面。
【図１】
2019005057.tif 000003
【図２】
2019005057.tif 000004
【図３】
2019005057.tif 000005
【図４】
2019005057.tif 000006
【図５】
2019005057.tif 000007
【図６】
2019005057.tif 000008